(57)【特許請求の範囲】
【請求項１】
トナー収容体と、
前記トナー収容体からトナーの供給を受ける現像器と、
前記現像器内のトナー量に関する情報を検出する検出手段と、
前記検出手段の検出結果に応じて前記現像器にトナーを補給する補給手段と、
前記補給手段によりトナーが補給された補給時間を取得する取得手段と、
画像形成される画像のドット数を算出する第１の算出手段と、
前記第１の算出手段で算出された画像のドット数と前記取得手段により取得された補給時間とに基づいて、トナー補給異常が発生しているか否かを判断する判断手段とを備え、
前記第１の算出手段は、前記画像のドット数として、所定枚数分の画像のドット数の平均値を算出し、
前記所定枚数は、前記現像器において前記検出手段によりトナーが検出される部位からそのトナーが消費される部位までトナーが流動する間に画像形成される用紙の枚数以上である、画像形成装置。
【請求項２】
トナー収容体と、
前記トナー収容体からトナーの供給を受ける現像器と、
前記現像器内のトナー量に関する情報を検出する検出手段と、
前記検出手段の検出結果に応じて前記現像器にトナーを補給する補給手段と、
前記補給手段によりトナーが補給された補給時間を取得する取得手段と、
画像形成される画像のドット数を算出する第１の算出手段と、
前記第１の算出手段で算出された画像のドット数と前記取得手段により取得された補給時間とに基づいて、トナー補給異常が発生しているか否かを判断する判断手段とを備え、
前記取得手段は、前記補給時間として、所定枚数分のトナーの補給時間の平均値を算出し、
前記所定枚数は、前記現像器において前記検出手段によりトナーが検出される部位からそのトナーが消費される部位までトナーが流動する間に画像形成される用紙の枚数以上である、画像形成装置。
【請求項３】
前記第１の算出手段は、前記画像のドット数として、所定枚数分の画像のドット数の平均値を算出する、請求項２に記載の画像形成装置。
【請求項４】
前記判断手段は、
前記第１の算出手段で算出された画像のドット数と前記取得手段により取得された補給時間とに基づいて、前記画像のドット数に対する前記補給時間の増加量を算出する第２の算出手段を備え、
前記第２の算出手段により算出された増加量が所定値以上であるとき、トナー補給異常が発生していると判断する、請求項１から３のいずれかに記載の画像形成装置。
【請求項５】
トナーが不足するトナーエンプティ状態の発生後に前記トナー収容体が交換された場合において、
前記判断手段は、前記トナー収容体の交換後、前記第１の算出手段により算出されたドット数の累積値が所定値以上になるまで、トナー補給異常が発生しているとは判断しない、請求項１から４のいずれかに記載の画像形成装置。
【請求項６】
トナーが不足するトナーエンプティ状態の発生後に前記トナー収容体が交換された場合において、
前記判断手段は、前記トナー収容体の交換後、前記取得手段により取得された補給時間の累積値が所定値以上になるまで、トナー補給異常が発生しているとは判断しない、請求項１から５のいずれかに記載の画像形成装置。
【請求項７】
トナーが不足するトナーエンプティ状態の発生後に前記トナー収容体が交換された場合において、
前記判断手段は、前記トナー収容体の交換後、画像形成された用紙の枚数の累積値が所定値以上になるまで、トナー補給異常が発生しているとは判断しない、請求項１から６のいずれかに記載の画像形成装置。
【請求項８】
前記判断手段は、前記第１の算出手段により算出されたドット数の累積値が所定値以上であれば、トナー補給異常が発生しているとは判断しない、請求項１から７のいずれかに記載の画像形成装置。
【請求項９】
前記判断手段は、前記取得手段により取得された補給時間の累積値が所定値以上であれば、トナー補給異常が発生しているとは判断しない、請求項１から８のいずれかに記載の画像形成装置。
【請求項１０】
前記判断手段は、画像形成された用紙の枚数の累積値が所定値以上であれば、トナー補給異常が発生しているとは判断しない、請求項１から９のいずれかに記載の画像形成装置。
【請求項１１】
前記判断手段は、前記第１の算出手段により算出されたドット数に対する前記取得手段により取得された補給時間の増加率が所定値以上であるとき、トナーが不足するトナーエンプティ状態であると判断する、請求項８から１０のいずれかに記載の画像形成装置。
【請求項１２】
画像形成が前回行われてから所定の期間が経過した場合において、
前記判断手段は、前記所定の期間の経過後に前記取得手段により取得された補給時間の累積値が所定値以上になるまで、トナー補給異常が発生しているとは判断しない、請求項１から１１のいずれかに記載の画像形成装置。
【請求項１３】
画像形成が前回行われてから所定の期間が経過した場合において、
前記判断手段は、前記所定の期間の経過後に前記第１の算出手段により算出されたドット数の累積値が所定値以上になるまで、トナー補給異常が発生しているとは判断しない、請求項１から１２のいずれかに記載の画像形成装置。
【請求項１４】
画像形成が前回行われてから所定の期間が経過した場合において、
前記判断手段は、前記所定の期間の経過後の画像形成される用紙の枚数の累積値が所定値以上になるまで、トナー補給異常が発生しているとは判断しない、請求項１から１３のいずれかに記載の画像形成装置。
【請求項１５】
前記判断手段は、前記補給手段によるトナーの補給が禁止されている期間において前記第１の算出手段により算出されたドット数は用いずに前記判断を行う、請求項１から１４のいずれかに記載の画像形成装置。
【請求項１６】
前記第１の算出手段で算出された画像のドット数と前記取得手段により取得された補給時間とに基づいて、前記画像形成装置の制御モードを切り替える切替手段をさらに備える、請求項１から１５のいずれかに記載の画像形成装置。
【請求項１７】
前記切替手段は、前記第１の算出手段で算出された画像のドット数と前記取得手段により取得された補給時間とに基づいて、画像形成動作の実行可否を切り替える、請求項１６に記載の画像形成装置。
【請求項１８】
前記判断手段によりトナー補給異常が発生していると判断されたとき、その旨をユーザに通知する通知手段をさらに備える、請求項１から１７のいずれかに記載の画像形成装置。
【請求項１９】
前記通知手段は、前記第１の算出手段で算出された画像のドット数と前記取得手段により取得された補給時間とに基づいて、前記通知を行う対象となるユーザを変更する、請求項１８に記載の画像形成装置。
【請求項２０】
前記第１の算出手段で算出された画像のドット数と前記取得手段により取得された補給時間とに基づいて、前記画像形成装置の制御モードを切り替える切替手段と、
前記判断手段によりトナー補給異常が発生していると判断されたとき、その旨をユーザに通知する通知手段とをさらに備え、
前記画像のドット数に対する前記補給時間の増加量が第１の所定値以上であるとき、前記通知手段は第１のユーザに前記通知を行い、かつ、前記切替手段は画像形成動作を実行可能とし、
前記画像のドット数に対する前記補給時間の増加量が前記第１の所定値より大きい第２の所定値以上であるとき、前記通知手段は前記第１のユーザと第２のユーザとに前記通知を行い、かつ、前記切替手段は画像形成動作を実行可能とし、
前記画像のドット数に対する前記補給時間の増加量が前記第２の所定値より大きい第３の所定値以上であるとき、前記通知手段は前記第１のユーザと前記第２のユーザとに前記通知を行い、かつ、前記切替手段は画像形成動作を実行不可能とする、請求項１から１５のいずれかに記載の画像形成装置。
【請求項２１】
トナー収容体と、
前記トナー収容体からトナーの供給を受ける現像器と、
前記現像器内のトナー量に関する情報を検出する検出手段と、
前記検出手段の検出結果に応じて前記現像器にトナーを補給する補給手段とを備えた画像形成装置の制御方法であって、
前記補給手段によりトナーが補給された補給時間を取得する取得ステップと、
画像形成される画像のドット数を算出する第１の算出ステップと、
前記第１の算出ステップで算出された画像のドット数と前記取得ステップにより取得された補給時間とに基づいて、トナー補給異常が発生しているか否かを判断する判断ステップとを備え、
前記第１の算出ステップは、前記画像のドット数として、所定枚数分の画像のドット数の平均値を算出し、
前記所定枚数は、前記現像器において前記検出手段によりトナーが検出される部位からそのトナーが消費される部位までトナーが流動する間に画像形成される用紙の枚数以上である、画像形成装置の制御方法。
【請求項２２】
トナー収容体と、
前記トナー収容体からトナーの供給を受ける現像器と、
前記現像器内のトナー量に関する情報を検出する検出手段と、
前記検出手段の検出結果に応じて前記現像器にトナーを補給する補給手段とを備えた画像形成装置の制御方法であって、
前記補給手段によりトナーが補給された補給時間を取得する取得ステップと、
画像形成される画像のドット数を算出する第１の算出ステップと、
前記第１の算出ステップで算出された画像のドット数と前記取得ステップにより取得された補給時間とに基づいて、トナー補給異常が発生しているか否かを判断する判断ステップとを備え、
前記取得ステップは、前記補給時間として、所定枚数分のトナーの補給時間の平均値を算出し、
前記所定枚数は、前記現像器において前記検出手段によりトナーが検出される部位からそのトナーが消費される部位までトナーが流動する間に画像形成される用紙の枚数以上である、画像形成装置の制御方法。
【請求項２３】
トナー収容体と、
前記トナー収容体からトナーの供給を受ける現像器と、
前記現像器内のトナー量に関する情報を検出する検出手段と、
前記検出手段の検出結果に応じて前記現像器にトナーを補給する補給手段とを備えた画像形成装置の制御プログラムであって、
前記補給手段によりトナーが補給された補給時間を取得する取得ステップと、
画像形成される画像のドット数を算出する第１の算出ステップと、
前記第１の算出ステップで算出された画像のドット数と前記取得ステップにより取得された補給時間とに基づいて、トナー補給異常が発生しているか否かを判断する判断ステップとをコンピュータに実行させ、
前記第１の算出ステップは、前記画像のドット数として、所定枚数分の画像のドット数の平均値を算出し、
前記所定枚数は、前記現像器において前記検出手段によりトナーが検出される部位からそのトナーが消費される部位までトナーが流動する間に画像形成される用紙の枚数以上である、画像形成装置の制御プログラム。
【請求項２４】
トナー収容体と、
前記トナー収容体からトナーの供給を受ける現像器と、
前記現像器内のトナー量に関する情報を検出する検出手段と、
前記検出手段の検出結果に応じて前記現像器にトナーを補給する補給手段とを備えた画像形成装置の制御プログラムであって、
前記補給手段によりトナーが補給された補給時間を取得する取得ステップと、
画像形成される画像のドット数を算出する第１の算出ステップと、
前記第１の算出ステップで算出された画像のドット数と前記取得ステップにより取得された補給時間とに基づいて、トナー補給異常が発生しているか否かを判断する判断ステップとをコンピュータに実行させ、
前記取得ステップは、前記補給時間として、所定枚数分のトナーの補給時間の平均値を算出し、
前記所定枚数は、前記現像器において前記検出手段によりトナーが検出される部位からそのトナーが消費される部位までトナーが流動する間に画像形成される用紙の枚数以上である、画像形成装置の制御プログラム。
【発明の詳細な説明】
【技術分野】
【０００１】
この発明は、画像形成装置、画像形成装置の制御方法、及び画像形成装置の制御プログラムに関し、特に、現像器へのトナーの補給動作に異常が発生したことを検知できる電子写真方式の画像形成装置、画像形成装置の制御方法、及び画像形成装置の制御プログラムに関する。
【背景技術】
【０００２】
電子写真式の画像形成装置（スキャナ機能、ファクシミリ機能、複写機能、プリンタとしての機能、データ通信機能、及びサーバ機能を備えたＭＦＰ（Ｍｕｌｔｉ  Ｆｕｎｃｔｉｏｎ  Ｐｅｒｉｐｈｅｒａｌ）、ファクシミリ装置、複写機、プリンタなど）では、トナー像を現像するための現像器にトナーボトルなどのトナー収容体からトナーを補給しながら、画像形成（プリント）が行われる。トナー収容体のトナーのほとんどが消費されたり、トナーの補給動作の不良（トナー補給異常）が発生したりした場合などには、現像器へのトナーの補給が行われなくなり、プリントできなくなる。これを検知するため、例えば現像器に検出センサを設けて、現像器内のトナーの量を検出することが行われている。
【０００３】
なお、下記特許文献１には、トナーエンプティが近くなった後に、例えばＢＷ比が高い画像を連続して印刷することによってトナー濃度が急激に異常判定値以下に低下した場合などにおいて、トナー低濃度異常と誤判定することを防止できる画像形成装置が開示されている。この画像形成装置では、トナーニアエンプティとなった後に、トナー濃度がエンプティ判定値よりも低い異常判定値以下であることが所定回数連続で検出されたとき、トナー低濃度異常であると判断される。また、トナー濃度がエンプティ判定値以下であることが所定回数検出されたとき、トナーエンプティであると判断される。
【先行技術文献】
【特許文献】
【０００４】
【特許文献１】特開２００９−１５０５０号公報
【発明の概要】
【発明が解決しようとする課題】
【０００５】
ところで、現像器へのトナー補給異常としては、従来、トナーがほとんど補給されなくなる現象が想定されていた。これには、例えば、トナー量の検出センサの不良や、トナー補給を行うためのモータの故障や、これらの部位への配線の取り付けミスなどの不良などが原因となって発生するものが挙げられる。しかしながら、このようなトナーがほとんど補給されない現象のほか、通常時よりも幾分かトナーの補給量が少なくなり、少しずつしかトナーが供給されないというような現象が、トナー補給異常として発生することがある。
【０００６】
このようなトナーが少しずつしか補給されなくなるトナー補給異常が発生すると、ベタ画像（塗りつぶし領域のある画像）などにかすれが発生するなど、プリントが適正に行われなくなる場合がある。また、トナーの補給が消費に間に合わなくなるので、頻繁に強制的なトナーの補給動作が行われることになり、そのたびにプリントが中断するため、画像形成装置の寿命に悪影響が及んだり、生産性が悪化したりする。したがって、このようなトナー補給異常が発生した場合でも、それを速やかに検知することが必要である。
【０００７】
このようなトナー補給異常は、例えば、トナーボトルからのトナーの供給経路が少し塞がれたり（例えば、トナーボトルと現像器との接合部に配置されているマイラーがめくれてトナー供給口が塞がれた場合や、トナーボトルに設けられているシャッターが完全には開かなかった場合などのことをいう。）、トナーボトル内に設けられている攪拌羽根が破損したりして発生することがある。
【０００８】
トナー補給異常が発生したと判断する条件としては、例えば、次のような場合に、トナー補給異常であると判断することなどが考えられる。すなわち、トナーを検出するセンサの検出値がある一定時間変化しない場合や、ニアエンプティとなる前に強制的にトナー補給動作を行った後でもセンサの検出結果からはトナーの量が回復したと判断できない場合などである。しかしながら、従来では、このような少しずつしかトナーが供給されなくなるようなトナー補給異常が発生したと判断することが困難な場合があった。
【０００９】
すなわち、この種のトナー補給異常が発生しても、少量のトナーは補給されるため、トナーを検出するセンサの検出値はトナー補給動作に伴い変化し、異常がある状態と判別することができない場合がある。また、強制的にトナー補給を行っても、トナーの量はある程度は回復するため、異常がある状態と判別することは難しい。
【００１０】
また、現像器内のトナー量の検出方法として透過型のセンサなどを用いた方法を採用している場合には、その方法を採用していることが、上記のトナー補給異常についての判断が困難である理由として挙げられる。すなわち、１成分現像を行う画像形成装置においては、コストダウンのために、現像器内のトナーを検出するセンサとして、透過型のセンサなどが使用される場合が多い。しかしながら、このような透過型のセンサでは、センサにより検出される部位におけるトナーの有無は検出できるが、現像器内のトナー量を検出することは難しい。他方、現像器内のトナー量を検出するために、例えば現像器の重量を計測する方法を採ることも考えられるが、このような方法では、画像形成装置の製造コストが高くなってしまう。
【００１１】
また、例えば、トナーを検出するセンサの取り付け位置が上記のトナー補給異常についての判断が困難である理由として挙げられる場合がある。すなわち、トナーの量の検出は、本来は、現像器内でトナーが攪拌され消費されるトナーバッファ部において行うことが望ましい。そのため、従来、例えば、現像器にライトガイドを取り付けて、トナーバッファ部のトナーを透過型の検出センサなどで検出するような構成が用いられていた。しかしながら、近年では、現像器の小型化やコストダウンのため、現像器のトナー補給口の側に検出センサを設けてトナーを検出するものが増えている。トナー補給口からトナーバッファ部までトナーが流動するにはある程度の時間がかかる。そのため、このようにトナーバッファ部から離れたトナー補給口の側などに検出センサを設けると、実際にトナー補給異常が発生しても、トナー補給異常の影響がトナーバッファ部に及ぶまでには時間がかかる。そのため、トナー補給異常が発生していることを判断するまでに時間がかかったり、トナー補給異常が発生していると誤判断されてしまうことがある。
【００１２】
この発明はそのような問題点を解決するためになされたものであり、トナー補給量が少なくなるような異常状態が発生したことをより早期に、かつ、より確実に判断することができる画像形成装置、画像形成装置の制御方法、及び画像形成装置の制御プログラムを提供することを目的としている。
【課題を解決するための手段】
【００１３】
上記目的を達成するためこの発明のある局面に従うと、画像形成装置は、トナー収容体と、トナー収容体からトナーの供給を受ける現像器と、現像器内のトナー量に関する情報を検出する検出手段と、検出手段の検出結果に応じて現像器にトナーを補給する補給手段と、補給手段によりトナーが補給された補給時間を取得する取得手段と、画像形成される画像のドット数を算出する第１の算出手段と、第１の算出手段で算出された画像のドット数と取得手段により取得された補給時間とに基づいて、トナー補給異常が発生しているか否かを判断する判断手段とを備え、第１の算出手段は、画像のドット数として、所定枚数分の画像のドット数の平均値を算出し、所定枚数は、現像器において検出手段によりトナーが検出される部位からそのトナーが消費される部位までトナーが流動する間に画像形成される用紙の枚数以上である。
この発明の他の局面に従うと、画像形成装置は、トナー収容体と、トナー収容体からトナーの供給を受ける現像器と、現像器内のトナー量に関する情報を検出する検出手段と、検出手段の検出結果に応じて現像器にトナーを補給する補給手段と、補給手段によりトナーが補給された補給時間を取得する取得手段と、画像形成される画像のドット数を算出する第１の算出手段と、第１の算出手段で算出された画像のドット数と取得手段により取得された補給時間とに基づいて、トナー補給異常が発生しているか否かを判断する判断手段とを備え、取得手段は、補給時間として、所定枚数分のトナーの補給時間の平均値を算出し、所定枚数は、現像器において検出手段によりトナーが検出される部位からそのトナーが消費される部位までトナーが流動する間に画像形成される用紙の枚数以上である。
好ましくは第１の算出手段は、画像のドット数として、所定枚数分の画像のドット数の平均値を算出する。
【００１４】
好ましくは判断手段は、第１の算出手段で算出された画像のドット数と取得手段により取得された補給時間とに基づいて、画像のドット数に対する補給時間の増加量を算出する第２の算出手段を備え、第２の算出手段により算出された増加量が所定値以上であるとき、トナー補給異常が発生していると判断する。
【００１８】
好ましくはトナーが不足するトナーエンプティ状態の発生後にトナー収容体が交換された場合において、判断手段は、トナー収容体の交換後、第１の算出手段により算出されたドット数の累積値が所定値以上になるまで、トナー補給異常が発生しているとは判断しない。
【００１９】
好ましくはトナーが不足するトナーエンプティ状態の発生後にトナー収容体が交換された場合において、判断手段は、トナー収容体の交換後、取得手段により取得された補給時間の累積値が所定値以上になるまで、トナー補給異常が発生しているとは判断しない。
【００２０】
好ましくはトナーが不足するトナーエンプティ状態の発生後にトナー収容体が交換された場合において、判断手段は、トナー収容体の交換後、画像形成された用紙の枚数の累積値が所定値以上になるまで、トナー補給異常が発生しているとは判断しない。
【００２１】
好ましくは判断手段は、第１の算出手段により算出されたドット数の累積値が所定値以上であれば、トナー補給異常が発生しているとは判断しない。
【００２２】
好ましくは判断手段は、取得手段により取得された補給時間の累積値が所定値以上であれば、トナー補給異常が発生しているとは判断しない。
【００２３】
好ましくは判断手段は、画像形成された用紙の枚数の累積値が所定値以上であれば、トナー補給異常が発生しているとは判断しない。
【００２４】
好ましくは判断手段は、第１の算出手段により算出されたドット数に対する取得手段により取得された補給時間の増加率が所定値以上であるとき、トナーが不足するトナーエンプティ状態であると判断する。
【００２５】
好ましくは画像形成が前回行われてから所定の期間が経過した場合において、判断手段は、所定の期間の経過後に取得手段により取得された補給時間の累積値が所定値以上になるまで、トナー補給異常が発生しているとは判断しない。
【００２６】
好ましくは画像形成が前回行われてから所定の期間が経過した場合において、判断手段は、所定の期間の経過後に第１の算出手段により算出されたドット数の累積値が所定値以上になるまで、トナー補給異常が発生しているとは判断しない。
【００２７】
好ましくは画像形成が前回行われてから所定の期間が経過した場合において、判断手段は、所定の期間の経過後の画像形成される用紙の枚数の累積値が所定値以上になるまで、トナー補給異常が発生しているとは判断しない。
【００２８】
好ましくは判断手段は、補給手段によるトナーの補給が禁止されている期間において第１の算出手段により算出されたドット数は用いずに判断を行う。
【００２９】
好ましくは画像形成装置は、第１の算出手段で算出された画像のドット数と取得手段により取得された補給時間とに基づいて、画像形成装置の制御モードを切り替える切替手段をさらに備える。
【００３０】
好ましくは切替手段は、第１の算出手段で算出された画像のドット数と取得手段により取得された補給時間とに基づいて、画像形成動作の実行可否を切り替える。
【００３１】
好ましくは画像形成装置は、判断手段によりトナー補給異常が発生していると判断されたとき、その旨をユーザに通知する通知手段をさらに備える。
【００３２】
好ましくは通知手段は、第１の算出手段で算出された画像のドット数と取得手段により取得された補給時間とに基づいて、通知を行う対象となるユーザを変更する。
【００３３】
好ましくは画像形成装置は、第１の算出手段で算出された画像のドット数と取得手段により取得された補給時間とに基づいて、画像形成装置の制御モードを切り替える切替手段と、判断手段によりトナー補給異常が発生していると判断されたとき、その旨をユーザに通知する通知手段とをさらに備え、画像のドット数に対する補給時間の増加量が第１の所定値以上であるとき、通知手段は第１のユーザに通知を行い、かつ、切替手段は画像形成動作を実行可能とし、画像のドット数に対する補給時間の増加量が第１の所定値より大きい第２の所定値以上であるとき、通知手段は第１のユーザと第２のユーザとに通知を行い、かつ、切替手段は画像形成動作を実行可能とし、画像のドット数に対する補給時間の増加量が第２の所定値より大きい第３の所定値以上であるとき、通知手段は第１のユーザと第２のユーザとに通知を行い、かつ、切替手段は画像形成動作を実行不可能とする。
【００３４】
この発明のさらに他の局面に従うと、トナー収容体と、トナー収容体からトナーの供給を受ける現像器と、現像器内のトナー量に関する情報を検出する検出手段と、検出手段の検出結果に応じて現像器にトナーを補給する補給手段とを備えた画像形成装置の制御方法は、補給手段によりトナーが補給された補給時間を取得する取得ステップと、画像形成される画像のドット数を算出する第１の算出ステップと、第１の算出ステップで算出された画像のドット数と取得ステップにより取得された補給時間とに基づいて、トナー補給異常が発生しているか否かを判断する判断ステップとを備え、第１の算出ステップは、画像のドット数として、所定枚数分の画像のドット数の平均値を算出し、所定枚数は、現像器において検出手段によりトナーが検出される部位からそのトナーが消費される部位までトナーが流動する間に画像形成される用紙の枚数以上である。
この発明のさらに他の局面に従うと、トナー収容体と、トナー収容体からトナーの供給を受ける現像器と、現像器内のトナー量に関する情報を検出する検出手段と、検出手段の検出結果に応じて現像器にトナーを補給する補給手段とを備えた画像形成装置の制御方法は、補給手段によりトナーが補給された補給時間を取得する取得ステップと、画像形成される画像のドット数を算出する第１の算出ステップと、第１の算出ステップで算出された画像のドット数と取得ステップにより取得された補給時間とに基づいて、トナー補給異常が発生しているか否かを判断する判断ステップとを備え、取得ステップは、補給時間として、所定枚数分のトナーの補給時間の平均値を算出し、所定枚数は、現像器において検出手段によりトナーが検出される部位からそのトナーが消費される部位までトナーが流動する間に画像形成される用紙の枚数以上である。
【００３５】
この発明のさらに他の局面に従うと、トナー収容体と、トナー収容体からトナーの供給を受ける現像器と、現像器内のトナー量に関する情報を検出する検出手段と、検出手段の検出結果に応じて現像器にトナーを補給する補給手段とを備えた画像形成装置の制御プログラムは、補給手段によりトナーが補給された補給時間を取得する取得ステップと、画像形成される画像のドット数を算出する第１の算出ステップと、第１の算出ステップで算出された画像のドット数と取得ステップにより取得された補給時間とに基づいて、トナー補給異常が発生しているか否かを判断する判断ステップとをコンピュータに実行させ、第１の算出ステップは、画像のドット数として、所定枚数分の画像のドット数の平均値を算出し、所定枚数は、現像器において検出手段によりトナーが検出される部位からそのトナーが消費される部位までトナーが流動する間に画像形成される用紙の枚数以上である。
この発明のさらに他の局面に従うと、トナー収容体と、トナー収容体からトナーの供給を受ける現像器と、現像器内のトナー量に関する情報を検出する検出手段と、検出手段の検出結果に応じて現像器にトナーを補給する補給手段とを備えた画像形成装置の制御プログラムは、補給手段によりトナーが補給された補給時間を取得する取得ステップと、画像形成される画像のドット数を算出する第１の算出ステップと、第１の算出ステップで算出された画像のドット数と取得ステップにより取得された補給時間とに基づいて、トナー補給異常が発生しているか否かを判断する判断ステップとをコンピュータに実行させ、取得ステップは、補給時間として、所定枚数分のトナーの補給時間の平均値を算出し、所定枚数は、現像器において検出手段によりトナーが検出される部位からそのトナーが消費される部位までトナーが流動する間に画像形成される用紙の枚数以上である。
【発明の効果】
【００３６】
これらの発明に従うと、第１の算出手段で算出された画像のドット数と取得手段により取得された補給時間とに基づいて、トナー補給異常が発生しているか否かが判断される。したがって、トナー補給量が少なくなるような異常状態が発生したことをより早期に、かつ、より確実に判断することができる画像形成装置、画像形成装置の制御方法、及び画像形成装置の制御プログラムを提供することができる。
【図面の簡単な説明】
【００３７】
【図１】本発明の実施の形態の１つにおける画像形成装置のハードウェア構成の概要を示す側面図である。
【図２】画像形成装置の制御回路の構成を示すブロック図である。
【図３】トナーボトルの内部構成を説明する側面図である。
【図４】予備攪拌部の縦断面図である。
【図５】カートリッジの現像器部分の構成を模式的に示す図である。
【図６】カートリッジのうち清掃部材が設けられている部分を模式的に示す図である。
【図７】所定量だけのトナーがある場合のトナーセンサの検知結果の一例を示すグラフである。
【図８】所定量だけのトナーがない場合のトナーセンサの検知結果の一例を示すグラフである。
【図９】トナー補給異常判断機能における画像形成装置の基本的な動作を示すフローチャートである。
【図１０】移動平均法の一例について説明する図である。
【図１１】累積ドット数とトナー消耗率との関係及びドット数に対する補給時間の傾きの推移を示すグラフである。
【図１２】トナー補給異常が発生する前後のトナー供給量を示すグラフである。
【図１３】種々の状態におけるトナー消耗率と累積ドット数との関係を示すグラフである。
【図１４】長期放置期間を含む場合の累積ドット数とトナー消耗率との関係及びドット数に対する補給時間の傾きの推移を示すグラフである。
【発明を実施するための形態】
【００３８】
以下、本発明の実施の形態における画像形成装置について説明する。
【００３９】
画像形成装置は、スキャナ機能、複写機能、プリンタとしての機能、ファクシミリ機能、データ通信機能、及びサーバ機能を備えたＭＦＰ（Ｍｕｌｔｉ  Ｆｕｎｃｔｉｏｎ  Ｐｅｒｉｐｈｅｒａｌ）である。スキャナ機能は、セットされた原稿の画像を読み取ってそれをＨＤＤ（Ｈａｒｄ  Ｄｉｓｋ  Ｄｒｉｖｅ）等に蓄積する機能である。複写機能は、さらにそれを用紙等に印刷（プリント）する機能である。プリンタとしての機能は、ＰＣ等の外部端末から印刷指示を受けるとその指示に基づいて用紙に印刷を行う機能である。ファクシミリ機能は、外部のファクシミリ装置等からファクシミリデータを受信してそれをＨＤＤ等に蓄積する機能である。データ通信機能は、接続された外部機器との間でデータを送受信する機能である。サーバ機能は、複数のユーザでＨＤＤ等に記憶したデータなどを共有可能にする機能である。
【００４０】
［実施の形態］
【００４１】
図１は、本発明の実施の形態の１つにおける画像形成装置１のハードウェア構成の概要を示す側面図である。
【００４２】
図１において、画像形成装置１として、そのプリント機能を実行する部分のみが示されている。画像形成装置１は、いわゆるタンデム方式でカラー画像をプリントする。
【００４３】
画像形成装置１は、大まかに、作像部と、印字媒体である用紙を搬送する搬送部とを有している。図１に示されるように、作像部は、中間転写ベルト２、カートリッジ２８ａ，２８ｂ，２８ｃ，２８ｄ（以下、単にカートリッジ２８ということがある。）、及びトナーボトル（トナー収容体の一例）２５ａ，２５ｂ，２５ｃ，２５ｄ（以下、単にトナーボトル２５ということがある。）などを備えている。搬送部は、収納部１６、給紙ローラ８、手差し給紙ローラ９、タイミングローラ１０、二次転写ローラ１１、加圧ローラ１２ａ、加熱ローラ１２ｂ、排紙ローラ１３、及び両面搬送経路２９などを備えている。また、画像形成装置１は、エンジン部１００と、コントローラ部２００とを備えている。
【００４４】
画像形成装置１は、ＣＭＹＫ各色の画像を用紙に形成することで、カラー画像をプリントできる。カートリッジ２８ａ及びトナーボトル２５ａは、イエロー（Ｙ）に対応する。カートリッジ２８ｂ及びトナーボトル２５ｂは、マゼンタ（Ｍ）に対応する。カートリッジ２８ｃ及びトナーボトル２５ｃは、シアン（Ｃ）に対応する。カートリッジ２８ｄ及びトナーボトル２５ｄは、ブラック（Ｋ）に対応する。
【００４５】
中間転写ベルト２は、環状であり、内側から複数のローラで懸架されて、画像形成装置１の内部の略中央部に配置されている。中間転写ベルト２は、メインモータ１８に連結されており、メインモータ１８の回転駆動によって回転する。
【００４６】
カートリッジ２８ａ，２８ｂ，２８ｃ，２８ｄは、中間転写ベルト２に沿って配置されている。カートリッジ２８ａ，２８ｂ，２８ｃ，２８ｄには、それぞれ、感光体３ａ，３ｂ，３ｃ，３ｄ（以下、単に感光体３ということがある。）、現像器４ａ，４ｂ，４ｃ，４ｄ（以下、単に現像器４ということがある。）、帯電装置５ａ，５ｂ，５ｃ，５ｄ、及び露光装置６ａ，６ｂ，６ｃ，６ｄなどが設けられている。帯電装置５ａ，５ｂ，５ｃ，５ｄは、感光体３ａ，３ｂ，３ｃ，３ｄを帯電させる。露光装置６ａ，６ｂ，６ｃ，６ｄは、帯電した感光体３ａ，３ｂ，３ｃ，３ｄに画像パターンを露光する。現像器４ａ，４ｂ，４ｃ，４ｄは、感光体３ａ，３ｂ，３ｃ，３ｄに形成された画像パターンをトナーで現像する。このとき、現像器４ａ，４ｂ，４ｃ，４ｄ内のトナーが消費される。感光体３ａ，３ｂ，３ｃ，３ｄに形成されたトナー像は、各色のトナー像が重なるように、中間転写ベルト２に転写される。
【００４７】
現像器４ａ，４ｂ，４ｃ，４ｄには、トナー量を測定するためのトナーセンサ（検出手段の一例）３１ａ，３１ｂ，３１ｃ，３１ｄ（以下、単にトナーセンサ３１又はセンサ３１ということがある。）が配置されている。センサ３１についての詳細は、後述する。
【００４８】
中間転写ベルト２の周囲には、クリーナ７と、廃トナーボックス１５とが設けられている。クリーナ７は、中間転写ベルト２に接触するブレード部材であり、中間転写ベルト２上に残留した残トナーを中間転写ベルト２から分離し、中間転写ベルト２上に余分なトナーが残らないようにする。廃トナーボックス１５には、中間転写ベルト２から分離したトナーを収容する。
【００４９】
トナーボトル２５ａ，２５ｂ，２５ｃ，２５ｄは、各カートリッジ２８ａ，２８ｂ，２８ｃ，２８ｄの上方に配置されている。トナーボトル２５ａ，２５ｂ，２５ｃ，２５ｄには、攪拌羽根２６ａ，２６ｂ，２６ｃ，２６ｄ（以下、単に攪拌羽根２６ということがある。）を内蔵して動作させることで、各カートリッジ２８ａ，２８ｂ，２８ｃ，２８ｄにトナーを補給する。各色のトナーは、現像器４に補給される。
【００５０】
トナーボトル２５ａ，２５ｂ，２５ｃ，２５ｄは、それぞれ、トナー補給クラッチ２３ａ，２３ｂ，２３ｃ，２３ｄ（以下、単にトナー補給クラッチ２３ということがある。）により駆動される。これらのトナー補給クラッチ２３ａ〜２３ｄにより他の駆動源（図示せず）の駆動力が伝達されることで、攪拌羽根２６ａ〜２６ｄが回転動作する。
【００５１】
作像部には、さらに、カラー感光体モータ１７、メインモータ１８、定着モータ１９、カラー現像モータ２０、及び現像モータ２１などのモータが設けられている。カートリッジ２８のうち、カラー用のカートリッジ２８ａ，２８ｂ，２８ｃの現像機構は、現像モータ２０の駆動力により駆動される。モノクロ用のカートリッジ２８ｄの現像機構は、現像モータ２１の駆動力により駆動される。カラー用の感光体３ａ，３ｂ，３ｃは、カラー感光体モータ１７により駆動される。
【００５２】
搬送部において、収納部１６には、記録媒体としての用紙が収納されている。用紙は、給紙ローラ８によって、収納部１６から１枚ずつ給紙される。給紙された用紙は、タイミングローラ１０で一旦停止され、所定のタイミングで二次転写ローラ１１に送られる。なお、画像形成装置１では、手差し給紙を行うことも可能である。手差し給紙される用紙は、手差し給紙ローラ９によって、タイミングローラ１０に送られる。
【００５３】
二次転写ローラ１１は、中間転写ベルト２を内側から懸架するローラと、中間転写ベルト２を挟んで対をなすように設けられている。二次転写ローラ１１は、中間転写ベルト２上に転写されたトナー画像を、搬送された用紙上に転写する。二次転写ローラ１１よりも用紙の搬送方向下流側（図１において上方）には、除電布３０が設けられている。除電布３０は、二次転写ローラ１１を通過した用紙の除電を行うために配置されている。
【００５４】
給紙ローラ８、タイミングローラ１０、及び二次転写ローラ１１などは、例えば、メインモータ１８によって回転駆動される。
【００５５】
トナー像が転写された用紙は、加圧ローラ１２ａ及び加熱ローラ１２ｂで構成される定着ローラ１２に送られる。定着ローラ１２は、用紙を加圧及び加熱し、トナー像を用紙に定着させる。用紙は、その後、排紙ローラ１３により排紙される。なお、用紙の搬送路上において、二次転写ローラ１１の下流側には、定着ループセンサ２７が配置されている。定着ループセンサ２７により、用紙のたるみなどが検出され、用紙の搬送速度などが調整される。
【００５６】
画像形成装置１は、両面プリント可能に構成されている。両面プリントが行われるときには、片面に画像が形成された用紙が、排紙ローラ１３によって、両面搬送経路２９に送られる。用紙は、両面搬送経路２９に沿って設けられた両面経路搬送ローラ１４ａ，１４ｂによって、両面搬送経路２９を経由してタイミングローラ１０まで搬送される。両面経路搬送ローラ１４ａ，１４ｂは、両面搬送モータ２２により駆動される。
【００５７】
図２は、画像形成装置１の制御回路の構成を示すブロック図である。
【００５８】
図２を参照して、画像形成装置１の制御回路としては、おおまかに、コントローラ部２００と、エンジン部１００に設けられたものとに分かれている。コントローラ部２００は、画像形成装置１の全体の動作を制御する。エンジン部１００は、コントローラ部２００に接続されており、コントローラ部２００との間でドット数や印字枚数など、必要な情報の授受などを行う。
【００５９】
また、図２に示されるように、画像形成装置１には、表示パネル（通知手段の一例）２１０が設けられている。表示パネル２１０は、例えばタッチパネルであり、コントローラ部２００に接続されている。ユーザは、表示パネル２１０に操作入力を行うことで、画像形成装置１が種々の動作を実行するように、コントローラ部２００に制御させることができる。また、ユーザは、表示パネル２１０の表示内容を見て、画像形成装置１の状態などを知ることができる。
【００６０】
エンジン部１００は、装置制御部（補給手段の一例、取得手段の一例、第１の算出手段、第２の算出手段、判断手段の一例、切替手段の一例）４０、本体付属不揮発性メモリ６０、及び各種負荷８０などを有している。各種負荷８０としては、例えば各種のモータ１７〜２１や、定着ローラ１２のヒータ（図示せず）などが含まれる。なお、エンジン部１００には、各カートリッジ２８などの消耗品に設けられ、その使用履歴に関する情報などを記憶するユニット付属不揮発性メモリなどを有していてもよい。
【００６１】
装置制御部４０は、ＣＰＵ５０を有している。装置制御部４０は、ＲＯＭ（図示せず）及びＲＡＭ（図示せず）などを有している。ＣＰＵ５０は、本体付属不揮発性メモリ６０、各種負荷８０、及びカートリッジ２８などの動作を制御する。
【００６２】
本体付属不揮発性メモリ６０は、例えばＥＥＰＲＯＭであり、記憶媒体として用いられる。本体付属不揮発性メモリ６０は、ＣＰＵ５０に接続されている。本体付属不揮発性メモリ６０は、ＣＰＵ５０で計測、演算などされたデータや、画像形成装置１の設定情報など、種々の情報を記憶可能である。
【００６３】
本実施の形態において、本体付属不揮発性メモリ６０には、制御プログラム６１が記憶されている。ＣＰＵ５０は、例えば制御プログラム６１を本体付属不揮発性メモリ６０から読み取って実行することにより、エンジン部１００の制御動作などを実行する。
【００６４】
本体付属不揮発性メモリ６０は、ＥＥＰＲＯＭに限られない。本体付属不揮発性メモリ６０として、ＥＥＰＥＯＭに代えて又はＥＥＰＥＯＭに加えて、ＨＤＤ（Ｈａｒｄ  Ｄｉｓｋ  Ｄｒｉｖｅ）などが設けられていてもよい。また、制御プログラム６１は、必ずしも本体付属不揮発性メモリ６０に記憶されていなくてもよい。
【００６５】
［トナー補給動作に関する説明］
【００６６】
次に、現像器４へのトナー補給動作について説明する。トナー補給動作は、トナー濃度制御機能において行われる。すなわち、プリントにより現像器４内のトナー量が少なくなると、各色のトナーボトル２５内に保管されたトナーが現像器４に補給される。トナー補給は、トナーセンサ３１により検出された現像器４内のトナー濃度（トナーの量）に関する情報に基づいて適宜実行される。トナー補給は、装置制御部４０の制御により行われる。トナー補給は、トナーセンサ３１の検出結果の他、印字枚数に応じて定期的に行われるようにしてもよい。
【００６７】
図３は、トナーボトル２５（トナーボトル２５ａ，２５ｂ，２５ｃ，２５ｄ）の内部構成を説明する側面図である。
【００６８】
図３に示されるように、トナーボトル２５は、トナー収容部２５１と、予備攪拌部２５２と、バッファ部２５３とを含む。予備攪拌部２５２には、予備攪拌部２５２内のトナーの量を検出するためのトナーレベルセンサ２５２ｚが備えられている。
【００６９】
図４は、予備攪拌部２５２の縦断面図である。
【００７０】
予備攪拌部２５２は、カートリッジ２８に向けてトナーを落下させるためのトナーホッパ２５２ｈを備えている。図４に示されるように、予備攪拌部２５２のトナーホッパ２５２ｈ内には、攪拌羽根２６が設けられている。トナーホッパ２５２ｈは、トナー補給クラッチにより駆動力が伝達されることで攪拌羽根２６を回転させる。攪拌羽根２６が回転すると、トナー収容部２５１内のトナーが、トナーホッパ２５２ｈを介して、カートリッジ２８に落下する。これにより、トナーボトル２５からカートリッジ２８にトナーが供給される。
【００７１】
図５は、カートリッジ２８の現像器４部分の構成を模式的に示す図である。
【００７２】
図５を参照して、現像器４は、カートリッジ２８の一部に設けられている。現像器４の内部の空間は、大まかに、格納部２８５と、攪拌部２８６と、トナーバッファ２８７とに分かれている。現像器４には、トナー補給口２８０と、補給ローラ２８２と、攪拌部材２８３と、清掃部材２８４などが設けられている。
【００７３】
トナー補給口２８０は、カートリッジ２８の上部に設けられており、トナーボトル２５からのトナーの導入口となる。トナー補給口２８０を介して現像器４に供給されたトナーは、一旦格納部２８５に溜められる。補給ローラ２８２と攪拌部材２８３とは、カートリッジ２８の長手方向に配置されている。補給ローラ２８２には、トナーを搬送するための羽根が設けられている。これにより、補給ローラ２８２の回転に伴い、格納部２８５内のトナーが攪拌部２８６に搬送される。攪拌部材２８３には、トナーを攪拌するための羽根が設けられている。これにより、攪拌部材２８３が回転することで、トナーが攪拌されるとともに、補給ローラ２８２によるトナーの搬送方向とは反対の方向にトナーが移動する。このように、攪拌部２８６内で、トナーは、均一になるようにして、図５の矢印で示す方向に搬送される。攪拌部２８６のトナーの一部は、トナーバッファ２８７においても保持される。攪拌されているトナーは、供給ローラ（図示せず）の回転によって、現像ローラ（図示せず）の表面に供給される。
【００７４】
本実施の形態において、格納部２８５には、格納部２８５内のトナーの有無を検出するためのセンサ３１が設けられている。センサ３１は、発光素子と受光素子を備えている。センサ３１は、受光素子が検出する光の強度に基づいて、トナーが所定量だけ格納部２８５内すなわち現像器４内にあるか否かを検出する。換言すると、センサ３１は、現像器４内のトナー量に関する情報を検出する。
【００７５】
センサ３１は、例えば、格納部２８５部分に設けられた検出窓２８５ｚを通して、発光素子と受光素子とが対面するように構成されている。センサ３１は、発光素子から出射された検出光が、検出窓２８５ｚを介して、格納部２８５内を通過して受光素子に入射するように構成されている。換言すると、センサ３１は、透過型のものであり、装置制御部４０は、透過型のセンサ３１を用いて、現像器４内のトナーの有無についての情報を検出できる。
【００７６】
図６は、カートリッジ２８のうち清掃部材２８４が設けられている部分を模式的に示す図である。
【００７７】
図６に示されるように、センサ３１における検出窓２８５ｚの清掃は、清掃部材２８４によって行われる。清掃部材２８４は、例えば現像モータ２０，２１などを駆動源として、図６中の両矢印方向に往復動作する。清掃部材２８４は、例えば２秒周期で、検出窓２８５ｚ部分を拭く。このように清掃部材２８４が検出窓２８５ｚを往復動作することで、検出窓２８５ｚが清掃され、センサ３１によりトナー濃度が適切に検出される。
【００７８】
図６に示されるように、トナーＴが所定の量だけ現像器４内にあるとき、検出窓２８５ｚを介して格納部２８５を透過するセンサ３１の検出光が、トナーＴによって遮られる。これにより、センサ３１は、トナーＴが現像器４内にある程度の量だけ存在することを検出できる。
【００７９】
ここで、検出窓２８５ｚは清掃部材２８４により拭かれるところ、清掃部材２８４がセンサ３１の検出光を遮ることがある。このとき、センサ３１の検出結果は、実際には格納部２８５内に所定量のトナーＴがない場合（センサ３１によってトナーＴが所定量あることが検出されないような場合）であっても、一時的に、トナーＴがある場合の検出結果と同様になる。
【００８０】
図７は、所定量だけのトナーがある場合のトナーセンサ３１の検知結果の一例を示すグラフである。図８は、所定量だけのトナーがない場合のトナーセンサ３１の検知結果の一例を示すグラフである。
【００８１】
図７及び図８では、横軸に現像器４内のトナーの攪拌時間すなわち時間の経過が示されており、縦軸にセンサ３１の出力電圧（検出電圧）が示されている。図７に示されるように、現像器４内に所定量のトナーがある場合には、トナーによってセンサ３１の検出光が遮られる。そのため、検出電圧は、常に比較的高い状態（例えば、約３Ｖである状態）になる。他方、図８に示されるように、現像器４内に所定量のトナーがない場合には、センサ３１の検出光がトナーによっては遮られないため、検出電圧は、通常、比較的低い状態（例えば、約０Ｖである状態）になる。ここで、図８において、攪拌時間（横軸）がおよそ０．５秒から１．１秒までの期間において、検出電圧が、所定量のトナーがある状態の電圧と同程度の約３Ｖの値をとっている。これは、この期間において、清掃部材２８４によりセンサ３１の検出光が遮られたことによる。したがって、この期間を過ぎると、検出電圧は再び比較的低い状態に戻る。
【００８２】
装置制御部４０は、上記のようにセンサ３１により検出された現像器４内のトナー濃度に基づいて、トナー補給動作を実行する。センサ３１により、現像器４内に所定量だけのトナーがないことが検出された場合、すなわち現像器４内でトナー不足となったこと（又はトナー不足になりそうなこと）が検出された場合などには、装置制御部４０は、トナーボトル２５を駆動して、トナー補給動作を行う。これにより、トナーがトナーボトル２５から現像器４に供給され、現像器４内のトナーが補給される。
【００８３】
なお、上記のように、現像器４内でトナー不足である場合などでも、センサ３１の検出結果は、一時的に現像器４内に所定量のトナーがある場合と同様になることがある。しかしながら、通常動作時には、このような事象は恒常的に発生するものではないため、その後トナー不足であることが検出された場合にトナー補給動作が行われることにより、現像器４内のトナーは適正に補給される。
【００８４】
画像形成装置１において、装置制御部４０は、画像形成動作によるトナーの消費量を算出する。消費量の算出は、例えば、パーソナルコンピュータなどの外部機器から画像形成の指示がなされたときに行われる。このとき、装置制御部４０は、画像形成動作中に画像形成の対象となる画像（画像形成される画像）の色ごとのドット数を算出する。そして、装置制御部４０は、算出した色ごとのドット数に基づいて、色ごとのトナーの消費量を算出する。
【００８５】
画像形成装置１は、このようにして算出したトナーの消費量に基づいて、トナー補給動作を行うようにしてもよい。例えば、外部機器から画像形成の指示がなされると、装置制御部４０は、算出した消費量分のトナーが現像器４に補給されるように、トナーの補給動作を行うようにすればよい。
【００８６】
［トナー補給異常判断機能の説明］
【００８７】
画像形成装置１の装置制御部４０は、トナー補給動作に関して異常（トナー補給異常）が発生しているか否かを判断する（トナー補給異常判断）。すなわち、装置制御部４０は、トナー補給異常が発生しているとき、そのことを検知する。なお、トナー補給異常判断は、色ごとに行われる。
【００８８】
本実施の形態において、装置制御部４０は、基本的には、次のようにしてトナー補給異常判断を行う。すなわち、装置制御部４０は、トナー補給動作を行うとき、トナーが補給された時間（以下、補給時間という）を計時し、取得する。これにより、補給されたはずのトナーの量が把握できる。また、装置制御部４０は、画像形成される画像のドット数を算出する。これは、例えば、上述の通りに行われる。装置制御部４０は、算出した画像のドット数と、トナー補給動作の補給時間との関係に基づいて、トナー補給異常判断を行う。より具体的には、例えば、装置制御部４０は、画像のドット数に対する補給時間の増加量（傾き）を算出し、その増加量が所定値以上であれば、トナー補給異常判断を行う。
【００８９】
ここで、装置制御部４０は、所定枚数分の画像のドット数の平均値を算出し、それを上述の説明における「画像のドット数」として、トナー補給異常判断を行う。また、装置制御部４０は、所定枚数分のトナーの補給時間の平均値を算出し、それを上述の説明における「補給時間」として、トナー補給異常判断を行う。すなわち、装置制御部４０は、１枚毎に、消費されたドット数を平均したものに対する、トナーの補給時間を平均したものの傾き（増加量）を算出する。そして、算出された傾きが所定値以上であれば、トナー補給異常が発生したと判断する。
【００９０】
ドット数及び補給時間のそれぞれの平均値は、現像器４において、センサ３１によりトナーが検出される部位から、そのトナーが消費される部位まで、トナーが流動する間にプリントされる用紙の枚数以上の所定枚数分のデータを用いて算出される。すなわち、図５を参照して、現像器のうち、センサ３１によりトナーが検出される格納部２８５のトナーが、補給ローラ２８２によって攪拌部２８６に流動し搬送されるまで、６枚程度の用紙にプリントが行われるだけの時間がかかる場合を想定する。このとき、ドット数及び補給時間のそれぞれの平均値は、例えば７，８枚など、６枚以上の用紙分のデータを用いて算出される。
【００９１】
図９は、トナー補給異常判断機能における画像形成装置１の基本的な動作を示すフローチャートである。
【００９２】
図９に示されるように、ステップＳ１１において、装置制御部４０は、１枚の用紙のプリントを開始する（印字開始）。
【００９３】
ステップＳ１２において、装置制御部４０は、１枚の用紙のプリントが終了したことを検知する（印字完了）。
【００９４】
ステップＳ１３において、装置制御部４０は、ドット数の平均値を算出する。すなわち、そのとき画像形成を行った画像のドット数が算出されたうえで、過去に画像形成を行った画像のドット数と合わせて、画像のドット数の平均値が算出される。
【００９５】
ステップＳ１４において、装置制御部４０は、補給時間の平均値を算出する。すなわち、そのとき行われたトナー補給動作の補給時間が取得され、過去の補給時間と合わせて、補給時間の平均値が算出される。
【００９６】
ステップＳ１５において、装置制御部４０は、ドット数に対する補給時間の増加量（傾き）を算出する。傾きの算出の具体的な方法は、後述する。
【００９７】
ステップＳ１６において、装置制御部４０は、算出した傾きが、所定値以上であるか否かを判断する。ここで、所定値は、例えば、トナー補給異常が発生したときに必要になることが考えられる補給時間などをかんがみて設定されていればよい。ステップＳ１６で傾きが所定値以上ではない場合には、ステップＳ１１の処理に戻り、別の用紙のプリントが行われる。
【００９８】
ステップＳ１６で傾きが所定値以上であるとき、ステップＳ１７において、装置制御部４０は、トナー補給異常が発生していると判断する。
【００９９】
ステップＳ１８において、装置制御部４０は、トナー補給異常表示を行う。これにより、ユーザに対して、トナー補給異常が発生している旨が通知される。ユーザは、通知を受けると、それに応じて、種々の行動をとることができる。
【０１００】
上記の処理中、ステップＳ１３のドット数平均値を算出する処理及びステップＳ１４の補給時間平均値を算出する処理は、例えば次のような移動平均法により行われる。移動平均法は、時系列のデータを平均化する手法である。
【０１０１】
図１０は、移動平均法の一例について説明する図である。
【０１０２】
図１０に示されるように、装置制御部４０は、常に、取得された時期が新しい例えば８つのデータ（ｄａｔａ１〜ｄａｔａ８）について平均値を算出することで、ドット数や補給時間の平均値を算出する。ドット数や補給時間の新しいデータ（新ｄａｔａ）が取得されると、前回の平均値の算出時に参入されていたデータのうち、最も古いもの（旧ｄａｔａ）が廃棄される。これにより、このとき取得されたデータ（新ｄａｔａ）を含めた８つのデータについて平均値を算出でき、近時における平均値を効率良く算出できる。
【０１０３】
上記の処理中、ステップＳ１５の傾きの算出は、例えば、次のような算出方法により行われる。
【０１０４】
すなわち、装置制御部４０では、補給時間の平均値（平均トナー補給時間；単位ｍｓ）と、プリント対象の画像のドット数の平均値（例えばＡ４エリアにおけるフルドットを１０００として算出したもの）とが得られている。ここで、ドット数に対する補給時間の傾きすなわち増加量は、（平均トナー補給時間）／（平均ドット数）として得られる。換言すると、ドット数に対する補給時間の増加量は、補給時間（本実施の形態では、補給時間の平均値）を画像のドット数（本実施の形態では、ドット数の平均値）で割った商として得られる。
【０１０５】
また、本実施の形態では、装置制御部４０は、例えば、傾きが１２０（ｍｓ／ドット）であるとき、トナー補給異常が発生していると判断する。
【０１０６】
例えば、平均トナー補給時間が３秒（３０００ｍｓ）であって、平均ドット数が２０である場合を想定する。このとき、装置制御部４０は、傾きを次式の通りに算出する。
【０１０７】
３０００ｍｓ（平均トナー補給時間）／２０（平均ドット数）＝１５０（傾き）
【０１０８】
この場合、得られた傾きは所定値１２０よりも大きいので、装置制御部４０は、トナー補給異常が発生したと判断する。
【０１０９】
図１１は、累積ドット数とトナー消耗率との関係及びドット数に対する補給時間の傾きの推移を示すグラフである。
【０１１０】
図１１において、縦軸はトナーの消耗率、又は累積ドット数に対するトナーの消耗率の傾きである。トナーの消耗率は、例えば、トナーの補給時間を積算したものに対応する。すなわち、トナー消耗率は、累積した補給時間から算出され、トナーはセンサ３１の検出レベルに応じて補給される。装置制御部４０は、例えば、補給時間からトナー消耗率を算出するテーブルを持っており、これにより、補給時間に対応するトナー消耗率が算出される。図１１の横軸は、累積ドット数である。累積ドット数が増加するにつれて、トナー消耗率は徐々に大きくなる。それぞれの時点（累積ドット数）において、ドット数に対する補給時間の傾きは、グラフの下方をゼロとして上方が傾き大となるようにして示されている。図１１において、右側の縦軸の目盛りは、傾きの値を示している。
【０１１１】
図１１に示されるように、トナー補給異常が発生していないとき、累積ドット数が増加するのに伴い、トナー消耗率も漸増する。このとき、ドット数に対する補給時間の傾きは、あまり変化しない。ここで、トナー補給異常が発生すると、トナー消耗率の増加量が増大し、急激にトナー消耗率が増加する（図１１において、吹き出しによって注記されている部分）。すなわち、ドット数に対する補給時間の傾きが急激に大きくなり、所定値（１２０）を超える。これにより、装置制御部４０により、トナー補給異常が発生したと判断される。
【０１１２】
図１２は、トナー補給異常が発生する前後のトナー供給量を示すグラフである。図１３は、種々の状態におけるトナー消耗率と累積ドット数との関係を示すグラフである。
【０１１３】
図１２において、横軸は累積ドット数を示し、縦軸は単位時間（例えば、１秒間）あたりのトナー供給量を示している。図１２に示されるように、横軸の略中央部分より左側の二点鎖線Ａで囲まれた部分は、特に異常が発生していない通常状態におけるトナー供給量を示している。他方、横軸の略中央部分より右側の二点鎖線Ｂで囲まれた部位は、トナー補給異常が発生したときのトナーの供給量を示す。図１２に示されている破線は、トナー供給量の値を均して示したものである。
【０１１４】
また、図１３において、横軸は累積ドット数を示し、縦軸はトナー消耗率を示す。図１３においては、４つの現像器４（例えば、ＣＭＹＫ各色の現像器４）それぞれについてのトナー消耗率と累積ドット数との関係を示すデータが示されている。図１３において示されている４つ現像器４についてのデータのうち、吹き出しにより注記されているものが、プリントを重ねていく途中でトナー補給異常が発生した状態を示している。他の３つの現像器４についてのデータは、プリントを重ねていく途中でトナー補給異常が発生しなかった、通常状態を示している。
【０１１５】
ここで、トナー補給異常は、例えば、トナーボトル２５と現像器４との間のトナー補給口２８０部分などに設けられているマイラーが予定外にめくれた状態となったときに発生する。図１３などにおいて示されているトナー補給異常の例は、このようなマイラーめくれが発生した場合のものである。なお、トナー補給異常は、マイラーめくれの他にも、例えば、トナーホッパ２５２ｈなどの攪拌羽根２６が一部破損したり、トナー供給路の一部がシャッタなどにより塞がれたりした場合などにも発生する。
【０１１６】
図１２に示されるように、例えばマイラーめくれが発生すると、通常のトナー供給量（二点鎖線Ａで囲まれた部分）に比べて、トナー供給量が落ちることがわかる（二点鎖線Ｂで囲まれた部分）。そのため、マイラーめくれが発生すると、図１３に示されるように、トナー消耗率は急激に伸びる。すなわち、マイラーめくれが発生すると、ドット数に対する補給時間の傾きが急激に大きくなり、異常が発生していない場合と比較して、累積ドット数に対してトナー消費が大きくなる。これは、マイラーがめくれている場合において、通常時と同じ量だけのトナーを補給するためには、より長い時間のトナー補給を行う必要があるためである。
【０１１７】
このように、本実施の形態では、画像のドット数とトナーの補給時間とに基づいて、トナー補給異常判断が行われる。また、トナー補給異常判断は、画像のドット数に対する補給時間の傾き（増加量）が所定値より大きいかどうかにより判断される。したがって、通常時よりも若干だけトナーの補給量が少なくなるような、従来では検出できなかったトナー補給異常が発生しているとき、確実に、そのトナー補給異常が発生していると判断される。
【０１１８】
また、本実施の形態では、ドット数と補給時間とのそれぞれの平均値が算出され、各平均値に基づいてトナー補給異常判断が行われる。したがって、トナー補給異常判断の判断結果を安定させることができ、例えば一時的にトナー補給異常が発生していると判断できるようなデータが得られた場合であっても、誤ってトナー補給異常が発生していると判断されることがなくなる。
【０１１９】
本実施の形態では、図５に示されているように、現像器４内のトナーの有無を検出するセンサ３１の位置と、現像器４において実際にトナーが消費される箇所とが離れているため、トナーの消費の影響がセンサ３１が設けられている地点の状態に及ぶまでには時間がかかる。すなわち、トナーが消費されたことがセンサ３１により検出されるまでには時間がかかり、トナーの補給が消費されたタイミングと外れる場合がある。しかしながら、本実施の形態では、上述のように、トナーの補給と消費とのタイミングがずれても、所定の期間分のデータの平均値を用いて、そのずれの影響を緩和したうえでトナー補給異常判断を行うことができる。したがって、トナー補給異常判断の判断結果が誤ったものになることをより確実に防止することができる。
【０１２０】
［トナー補給異常判断が行われない場合の説明］
【０１２１】
ここで、装置制御部４０は、次の（１）から（３）のような場合には、トナー補給異常判断を行わない。これにより、トナー補給異常が発生していると誤判断されることが防止される。なお、トナー補給異常判断が行われない条件として次の（１）から（３）のうち一部だけが採用されていてもよい。
【０１２２】
（１）例えば、装置制御部４０は、プリントが前回行われてから所定の期間が経過した場合において、次に示されるようなときには、トナー補給異常判断を行わない。そのため、上記のようなトナー補給異常と判断するための他の条件が満たされている場合であっても、例えば、前回プリントが行われてから長期間（所定の期間以上）、プリントなどを行わないまま放置されたような場合には、トナー補給異常が発生しているとの判断が行われない場合がある。なお、上記所定の期間としては、例えば、現像器４内でトナーが沈降するのにかかる期間などが適宜設定されていればよい。
【０１２３】
すなわち、プリントが前回行われてから所定期間が経過した所定期間経過時において、装置制御部４０は、所定期間の経過後に取得された補給時間の累積値が所定値以上になるまで、トナー補給異常が発生しているとは判断しない。また、所定期間経過時において、装置制御部４０は、所定期間の経過後に算出したドット数の累積値が所定値以上になるまで、トナー補給異常が発生しているとは判断しない。また、所定期間経過時において、装置制御部４０は、所定期間の経過後の印字枚数の累積値が所定値以上になるまで、トナー補給異常が発生しているとは判断しないを行わない。なお、装置制御部４０は、所定時間経過時において、これらの３つの条件のうちいずれか１つか２つのみが満たされることを、トナー補給異常判断を行うための条件としてもよい。
【０１２４】
図１４は、長期放置期間を含む場合の累積ドット数とトナー消耗率との関係及びドット数に対する補給時間の傾きの推移を示すグラフである。
【０１２５】
図１４において、縦軸はトナーの消耗率、又は累積ドット数に対するトナーの消耗率の傾きである。横軸は累積ドット数である。累積ドット数が増加するにつれて、トナー消耗率は徐々に大きくなる。それぞれの時点（累積ドット数）において、累積ドット数に対するトナーの消耗率の傾きは、グラフの下方をゼロとして上方が傾き大となるようにして示されている。図１４に示されている例において、「長期放置後」と示された吹き出しの前後で、所定の期間以上プリントが行われていない期間が設けられている（ただし、横軸は時間ではなく累積ドット数であるため、トナーの消耗率は常に漸増するように表示されている。）。
【０１２６】
図１４に示されるように、長期放置後において、長期放置前よりも、累積ドット数に対するトナーの消耗率の傾きが大きくなっている。これは、例えば、長期放置により現像器４内のトナーが沈降し、センサ３１で所定量のトナーがないことが検出されてしまうことがあることによる。このような状態において、トナー補給動作が行われる場合、トナーの消費がなくてもトナーが補給されてしまい、トナー補給異常が誤検出されてしまう可能性がある。
【０１２７】
しかしながら、本実施の形態では、装置制御部４０が、プリントが前回行われてから所定期間が経過した場合において、上記のような条件が満たされなければトナー補給異常判断を行わない（トナー補給異常が発生しているとは判断しない。）。これにより、長期放置されていた後でも、累積ドット数、累積トナー補給時間、又は印字枚数に応じて、トナーが攪拌され、沈降が解消されたと考えられる状態で、トナー補給異常が発生しているか否かが判断される。したがって、トナー補給異常が誤検出されることを適切に防止できる。
【０１２８】
（２）例えば、装置制御部４０は、トナーが不足するトナーエンプティ状態の発生後にトナーボトル２５が交換された場合において、次の場合には、トナー補給異常であるとは判断しない。ここで、トナーエンプティ状態とは、例えば、現像器４内のトナーが少なくなってトナー補給動作が行われてもトナーの量が回復されない状態をいう。すなわち、トナーボトル２５内のトナーが少なくなり、トナーボトル２５からのトナーの供給が行われなくなると、トナーエンプティ状態となる。
【０１２９】
装置制御部４０は、トナーエンプティ状態の発生後であってトナーボトル２５の交換後、算出したドット数の累積値が所定値以上になるまで、トナー補給異常が発生しているとは判断しない。また、装置制御部４０は、トナーエンプティ状態の発生後であってトナーボトル２５の交換後、補給時間の累積値が所定値以上になるまで、トナー補給異常が発生しているとは判断しない。また、装置制御部４０は、トナーエンプティ状態の発生後であってトナーボトル２５の交換後、印字枚数の累積値が所定値以上になるまで、トナー補給異常が発生しているとは判断しない。なお、装置制御部４０は、所定時間経過時において、これらの３つの条件のうちいずれか１つか２つのみが満たされることを、トナー補給異常判断を行うための条件としてもよい。
【０１３０】
トナーエンプティ状態では現像器４内のトナーは少ないため、トナーボトル２５が交換されると、現像器４内のトナー量が回復するまで、トナー消費がないままでもトナー補給動作が行われる。そうすると、ドット数に対する補給時間の傾きは非常に大きくなり、そのままではトナー補給異常が発生していると誤判断されてしまう。これに対し、本実施の形態では、累積ドット数、累積トナー補給時間、又は印字枚数に応じて、トナー補給異常判断を遅延させるので、トナー補給異常の誤判断を防止させることができる。
【０１３１】
（３）例えば、装置制御部４０は、次の場合には、トナー補給異常であるとは判断しない。これは、トナーエンプティ状態に近い状態であると考えられるからである。
【０１３２】
すなわち、装置制御部４０は、ドット数の累積値が所定値以上であるとき、補給時間の累積値が所定値以上であるとき、又は印字枚数の累積値が所定値以上であるとき、トナー補給異常が発生しているとは判断しない。なお、装置制御部４０は、所定時間経過時において、これらの３つの条件のうちいずれか１つか２つのみが満たされることを、トナー補給異常判断を行うための条件としてもよい。
【０１３３】
ここで、上記のように種々の累積値が所定値以上になっている場合において、ドット数に対する補給時間の傾きが所定値以上であるとき、装置制御部４０は、トナーエンプティ状態であると判断するようにしてもよい。トナーエンプティ状態が迫っているときには、トナーボトル２５内のトナーが少ないため、単位時間あたりのトナー供給量が減ることになる。そうすると、ドット数に対する補給時間の傾きが大きくなり、その状態がトナー補給異常として誤判断されてしまうことになりかねない。本実施の形態では、このような場合には、トナー補給異常判断が行われないので、誤判断を防止できる。
【０１３４】
なお、これらの条件における種々の累積値は、同一のトナーボトルを使い続けている場合におけるものとすればよい。すなわち、新品のトナーボトルに交換した場合などは、トナーエンプティ状態に近い状態であるとは考えられないので、累積値をリセットし、新たに累積し直すようにすればよい。
【０１３５】
なお、本実施の形態において、装置制御部４０は、所定の動作が行われる場合などにトナー補給動作を行わない、トナー補給の禁止期間を設けている。例えば、安定化動作が行われる期間が、トナー補給の禁止期間とされている。これは、安定化中にトナー補給を行うと、形成される画像の色味が変わってしまうなどの弊害が発生することがあるという理由などによる。このようなトナー補給の禁止期間においては、トナーが消費されたとしても、トナー補給動作が行われない。したがって、装置制御部４０は、トナー補給異常判断を行う場合であっても、このようなトナー補給の禁止期間において算出されるドット数は考慮せずに、ドット数に対する補給時間の傾きを算出し、トナー補給異常判断を行う。
【０１３６】
上記のような、トナーは消費されるがトナー補給動作が行われない状態で消費したドット数をドット数に対する補給時間の傾き計算に使用すると、ドット数と補給時間とのバランスが崩れ、トナー補給異常について誤った判断がなされることがある。したがって、このように、トナー補給の禁止期間におけるトナー消費分のデータを傾き計算に使用しないことにより、トナー補給異常判断をより正確に行うことができる。
【０１３７】
［トナー補給異常判断に関連する動作の説明］
【０１３８】
装置制御部４０は、トナー補給異常が発生していると判断したとき、トナー補給動作に異常が発生したことをユーザに通知する（通知動作）。ユーザへの通知は、例えば、通知する事項を表示パネル２１０などに表示すること（トナー補給異常表示）により行われるが、これに限られるものではない。
【０１３９】
また、装置制御部４０は、トナーに補給異常が発生している場合など、画像のドット数と補給時間とに基づいて、画像形成動作の実行可否（画像形成装置１の動作モードの一例）を切り替える（切替動作）。
【０１４０】
本実施の形態において、これらの通知動作や切替動作は、ドット数に対する補給時間の傾き（増加量）に応じて、例えば次のようにして行われる。通知動作において、算出された傾きに応じて、通知対象となるユーザが変更される。
【０１４１】
すなわち、画像のドット数に対する補給時間の傾きが、第１の所定値Ａ以上である第１の場合と、傾きが第１の所定値Ａより大きい第２の所定値Ｂ以上である第２の場合と、傾きが第２の所定値Ｂより大きい第３の所定値Ｃ以上である第３の場合とで、通知動作における通知対象となるユーザと、画像形成動作の実行可否との組合せが切り替えられる。
【０１４２】
第１の場合において、装置制御部４０は、第１のユーザに通知を行う。また、このとき、装置制御部４０は、画像形成動作を実行可能な状態に維持する。第１の場合は、比較的異常の程度が軽微であるため、例えば第１のユーザとしての画像形成装置１の保守に従事するユーザ（いわゆるサービスマンなど）に対してのみ通知が行われる。また、画像形成動作は実行可能のまま維持される。
【０１４３】
第２の場合において、装置制御部４０は、第１のユーザと第２のユーザとに通知を行う。また、このとき、装置制御部４０は、画像形成動作を実行可能に維持する。第２の場合は、第１の場合よりも異常の程度が大きい。そのため、上記第１のユーザに加えて、例えば第２のユーザとして実際に画像形成装置１を使用するユーザを対象とし、通知が行われる。また、画像形成動作は実行可能のまま維持される。
【０１４４】
第３の場合において、装置制御部４０は、第１のユーザと第２のユーザとに通知を行う。また、このとき、装置制御部４０は、画像形成動作を実行不可能に切り替える。第３の場合は、第１の場合、第２の場合と比較して、相当異常の程度が大きい。したがって、多くのユーザに通知が行われ、また、画像形成動作が実行不可能とされる。
【０１４５】
装置制御部４０がこのように３つの閾値（第１の所定値Ａ、第２の所定値Ｂ、第３の所定値Ｃ）を用いた制御を行うことで、例えば以下のように、状態に応じた動作を実行させることが可能になる。
【０１４６】
すなわち、小さなトナー補給異常であっても、解消することが必要であるため、できるだけ早期に検出することが望ましい。例えば、マイラーめくれの程度が低くても、トナーが機内にこぼれてしまう可能性がある。しかしながら、閾値を低くしてトナー補給異常を早期に判断できるようにすると、トナー補給異常が発生していると誤判断される可能性も高くなる。湿度、温度などにより、トナー供給量が変わることもある。
【０１４７】
これに対して、本実施の形態においては、上記のような場合には、例えば一般のユーザではない、画像形成装置１の保守に従事するユーザにのみ異常情報を通知し、画像形成装置１自体は画像形成動作を実行可能なまま維持する。
【０１４８】
他方、傾きが第２の所定値Ｂまで達する場合には、画像形成を止めるほどではないが、比較的大きなトナー補給異常が発生していると考えられる。したがって、ユーザにトナー補給異常が発生していることを通知し、確認してもらう。
【０１４９】
さらに、傾きが第２の所定値Ｂより大きい第３の所定値Ｃまで達する場合には、相当大きなトナー補給異常が発生していることが考えられる。このような場合には、画像形成不可能としつつ、一般のユーザにも異常が発生していることを通知することで、ユーザに画像形成装置１の使用を控えてもらったり、状態を確認してもらったりする。このような状態では、トナーがほとんど補給されない場合が考えられるため、そのまま画像形成動作が行われると、画像にかすれが発生したり、トナーボトル２５内でのパッキングなどの不具合が発生したりする可能性がある。
【０１５０】
［その他］
【０１５１】
ユーザへの通知は、表示パネルに情報を表示することにより行われるものに限られない。例えば、音声などを発することにより通知が行われてもよいし、ネットワークなどを介して電子メールやその他のメッセージがユーザに送信されることにより、通知が行われるようにしてもよい。
【０１５２】
装置制御部は、画像形成動作の実行可否に限られず、画像のドット数と補給時間とに基づいて、画像形成装置の種々の制御モードを切り替えるようにしてもよい。例えば、ドット数に対する補給時間の傾きに応じて、複数の制御モードのうちいずれかが選択され、画像形成装置の制御に適用されるようにしてもよい。
【０１５３】
装置制御部が行うトナー補給異常判断に際しては、上述の実施の形態における特徴部分（例えば、ドット数や補給時間の平均値に基づいて判断を行うことや、その平均値の算出方法、又はトナー補給禁止期間のデータは利用せずに判断を行うことなど）の必ずしもすべての要素が含まれなくてもよい。また、特徴部分となる個々の要素のうちいずれかを適宜組み合わせて、トナー補給異常判断が行われるようにしてもよい。
【０１５４】
画像形成装置としては、モノクロ／カラーの複写機、プリンタ、ファクシミリ装置やこれらの複合機（ＭＦＰ）などいずれであってもよい。
【０１５５】
画像形成装置のハードウェア構成は上述に限られるものではない。例えば、トナーセンサとして、他の形式のセンサを用いてもよい。また、トナーボトルの重量などを検知するような方法で、現像器内のトナーの量に関する情報を検出するようにしてもよい。
【０１５６】
上述の実施の形態における処理は、ソフトウェアによって行っても、ハードウェア回路を用いて行ってもよい。
【０１５７】
上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザに提供することにしてもよい。プログラムはインターネットなどの通信回線を介して、装置にダウンロードするようにしてもよい。上記のフローチャートで文章で説明された処理は、そのプログラムに従ってＣＰＵなどにより実行される。
【０１５８】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【０１５９】
１  画像形成装置
４（４ａ，４ｂ，４ｃ，４ｄ）  現像器
２５（２５ａ，２５ｂ，２５ｃ，２５ｄ）  トナーボトル（トナー収容体の一例）
２８（２８ａ，２８ｂ，２８ｃ，２８ｄ）  カートリッジ
３１（３１ａ，３１ｂ，３１ｃ，３１ｄ）  トナーセンサ（検出手段の一例）
４０  装置制御部
５０  制御部
６１  制御プログラム
２１０  表示パネル（通知手段の一例）
【図１】
0005866899.tif 000002
【図２】
0005866899.tif 000003
【図３】
0005866899.tif 000004
【図４】
0005866899.tif 000005
【図５】
0005866899.tif 000006
【図６】
0005866899.tif 000007
【図７】
0005866899.tif 000008
【図８】
0005866899.tif 000009
【図９】
0005866899.tif 000010
【図１０】
0005866899.tif 000011
【図１１】
0005866899.tif 000012
【図１２】
0005866899.tif 000013
【図１３】
0005866899.tif 000014
【図１４】
0005866899.tif 000015